(57)【要約】【課題】常時換気を行う場合に所望の箇所（室）に対して空気イオンの供給量を増すことができる空気イオン搬送システムを提供する。【解決手段】各箇所に供給される空気イオンの送風量を調節するモータダンパ５３を備えて、設定した箇所に供給する空気イオンの送風量を増すことで、常時換気と比較して、時間あたりの空気イオンの供給量を多くする。この結果、常時換気と比較して空気イオンによる菌の殺菌効果などを高める。また、空気イオンの送風量を増す運転時間を設定することによって常時換気を効率よく行える。【選択図】        図１
2007183070.tif 000002
【特許請求の範囲】
【請求項１】
空気を導入して複数の箇所に供給する給気装置と、当該給気装置が導入した空気に負イオンまたは正イオンまたはこれらの両イオンを含ませて空気イオンを生成する空気イオン発生装置とを備えた空気イオン搬送システムにおいて、
前記箇所に供給される空気イオンの送風量を調節する送風量調節手段を備えたことを特徴とする空気イオン搬送システム。
【請求項２】
前記送風量調節手段を設定に応じて制御して各箇所に供給される空気イオンの送風量を可変する制御部を備えたことを特徴とする請求項１に記載の空気イオン搬送システム。
【請求項３】
前記制御部は設定に応じて前記給気装置における空気の供給量を可変制御することを特徴とする請求項２に記載の空気イオン搬送システム。
【請求項４】
前記制御部は設定に応じて前記空気イオン発生装置における空気イオンの発生量を可変制御することを特徴とする請求項２または３に記載の空気イオン搬送システム。
【請求項５】
空気イオンの送風時間を計時する計時手段をさらに備え、
前記制御部は予め設定した時間の経過に基づいて前記送風量調節手段、前記給気装置、前記空気イオン発生装置のいずれか一つ、または複数を制御することを特徴とする請求項２〜４のいずれか一つに記載の空気イオン搬送システム。
【請求項６】
前記制御部は各箇所の空気を排気する排気装置の稼働に伴って前記送風量調節手段、前記給気装置、前記空気イオン発生装置のいずれか一つ、または複数を制御することを特徴とする請求項２〜５のいずれか一つに記載の空気イオン搬送システム。
【発明の詳細な説明】
【技術分野】
【０００１】
本発明は、負イオン（マイナスイオン）または正イオン（プラスイオン）またはこれらの両イオンを含ませた空気イオンを所望箇所に供給する空気イオン搬送システムに関するものである。
【背景技術】
【０００２】
近年、例えば高気密・高断熱の住宅などにおいて、屋内の空気が屋外の空気と十分に置換できないため、各々の部屋ごとに積極的に換気を行うようにした換気装置がある。この装置は、送風機によって給気ボックスから空気の供給を行い、送風機によって排気ボックスに空気を吸引するように構成したチャンバー送風機を備えている。チャンバー送風機には、多数のダクト孔を開口配置し、当該ダクト孔と各部屋の給気口および排気口とを個別に直接連結するように部屋ごと専用の給気ダクトおよび排気ダクトを配置してある。そして、チャンバー送風機の給気ボックス乃至そのダクト孔には、負イオン（マイナスイオン）発生手段を配置してあり、さらに各ダクト孔に風量調整手段を配置してある（例えば、特許文献１参照）。
【０００３】
また、屋内に負イオンを供給し、しかも、冬期には屋内を効果的に加湿しながら換気することができる屋内強制換気システムがある。このシステムは、レナード式による負イオン発生手段が備えられるとともに、屋内から屋外に排出される空気と、屋外から屋内に供給される空気とを熱交換させる熱交換素子が備えられ、負イオン発生手段で発生させた負イオンが、熱交換素子と屋内給気口とを結ぶ給気通路に供給されるようになされている（例えば、特許文献２参照）。
【０００４】
【特許文献１】特開２００３−９７８３６号公報
【特許文献２】特開２００４−１１６９７０号公報
【発明の開示】
【発明が解決しようとする課題】
【０００５】
ところで、近年では、負イオン（マイナスイオン）および正イオン（プラスイオン）を共に発生して空気に含ませた空気イオンによって、カビ菌およびウィルスなどの空気中に浮遊する細菌を殺菌、不活化することが知られている。
【０００６】
さらに、複数の室に対して換気を行う常時換気システムを構築する場合では、一般に外気の供給を１時間あたり約０．５回と設定し、１室当たり２０〜３０ＣＭＨ（ｍ3／ｈ）程度の外気供給量としている。
【０００７】
しかしながら、上記外気供給量は多いとは言えない。すなわち、供給される外気を空気イオンとしてダクトを介して各室に供給すると、室の給気グリル近傍では空気イオンの効果が高いものの、室全体に空気イオンを拡散させて空気イオンの効果を得るのは難しい。
【０００８】
本発明は、上記実情に鑑みて、常時換気を行う場合に、所望の箇所（室）に対して空気イオンの供給量を増すことができる空気イオン搬送システムを提供することを目的とする。
【課題を解決するための手段】
【０００９】
上記の目的を達成するために、本発明の請求項１に係る空気イオン搬送システムは、空気を導入して複数の箇所に供給する給気装置と、当該給気装置が導入した空気に負イオンまたは正イオンまたはこれらの両イオンを含ませて空気イオンを生成する空気イオン発生装置とを備えた空気イオン搬送システムにおいて、前記箇所に供給される空気イオンの送風量を調節する送風量調節手段を備えたことを特徴とする。
【００１０】
本発明の請求項２に係る空気イオン搬送システムは、上記請求項１において、前記送風量調節手段を設定に応じて制御して各箇所に供給される空気イオンの送風量を可変する制御部を備えたことを特徴とする。
【００１１】
本発明の請求項３に係る空気イオン搬送システムは、上記請求項２において、前記制御部は設定に応じて前記給気装置における空気の供給量を可変制御することを特徴とする。
【００１２】
本発明の請求項４に係る空気イオン搬送システムは、上記請求項２または３において、前記制御部は設定に応じて前記空気イオン発生装置における空気イオンの発生量を可変制御することを特徴とする。
【００１３】
本発明の請求項５に係る空気イオン搬送システムは、上記請求項２〜４のいずれか一つにおいて、空気イオンの送風時間を計時する計時手段をさらに備え、前記制御部は予め設定した時間の経過に基づいて前記送風量調節手段、前記給気装置、前記空気イオン発生装置のいずれか一つ、または複数を制御することを特徴とする。
【００１４】
本発明の請求項６に係る空気イオン搬送システムは、上記請求項２〜５のいずれか一つにおいて、前記制御部は各箇所の空気を排気する排気装置の稼働に伴って前記送風量調節手段、前記給気装置、前記空気イオン発生装置のいずれか一つ、または複数を制御することを特徴とする。
【発明の効果】
【００１５】
本発明に係る空気イオン搬送システムは、各箇所に供給される空気イオンの送風量を調節する送風量調節手段を備えたことにより、限定した箇所に供給する空気イオンの送風量を増すことで、空気イオンの送風量を調節しない常時換気と比較して、時間あたりの空気イオンの供給量が多くなる。この結果、常時換気と比較して空気イオンによる菌の殺菌効果などを高めることができる。
【００１６】
設定に応じて送風量調節手段を制御して各箇所に供給される空気イオンの送風量を可変する制御部を備えたことにより、空気イオンの送風量を増す箇所の切り替えを適宜行うことができる。
【００１７】
設定に応じて給気装置における空気の供給量を可変することにより、空気イオンの送風量を調節しない常時換気と比較して、時間あたりの空気イオンの供給量をさらに多くして、空気イオンによる菌の殺菌効果などをさらに高めることができる。
【００１８】
設定に応じて空気イオン発生装置における空気イオンの発生量を可変制御することにより、空気イオンの送風量を調節しない常時換気と比較して、時間あたりの空気イオンの供給量をさらに多くして、空気イオンによる菌の殺菌効果などをさらに高めることができる。
【００１９】
空気イオンの送風時間を計時する計時手段をさらに備え、予め設定した時間の経過に基づいて送風量調節手段、給気装置、空気イオン発生装置のいずれか一つ、または複数を制御する。この結果、常時換気を効率よく行うことができる。
【００２０】
各箇所の空気を排気する排気装置の稼働に伴って送風量調節手段、給気装置、空気イオン発生装置のいずれか一つ、または複数を制御する。この結果、排気に併せて、空気イオンによる菌の殺菌効果などを高めることができる。
【発明を実施するための最良の形態】
【００２１】
以下に添付図面を参照して、本発明に係る空気イオン搬送システムの好適な実施の形態を詳細に説明する。
【００２２】
図１は本発明に係る空気イオン搬送システムを住宅に採用した概略図、図２は図１に示す空気イオン搬送システムの概略図である。
【００２３】
本実施の形態における空気イオン搬送システムは、住宅などにおいて外気を屋内に導入し、導入した外気に負イオンまたは正イオンまたはこれらの両イオンを含ませた空気イオンを含ませた空気イオンを生成し、当該空気イオンを屋内の各室に搬送するものである。なお、空気イオン搬送システムは、住宅の他、オフィス、医療施設、老健施設、宿泊施設、教育施設、美術館、工場などの建物への応用や、車両（乗用車、バス、電車など）への応用にも適している。
【００２４】
図１においては、空気イオン搬送システムを採用した住宅として１フロア３ＬＤＫの間取りの住宅を一例として示している。具体的には、部屋としてリビング１１、第一寝室１２、第二寝室１３および第三寝室１４がある。
【００２５】
リビング１１は、玄関２１に連なる廊下２２に対してドアＤ１を介して通じている。リビング１１には、台所１５が設けてある。また、リビング１１には、トイレ１６がドアＤ１を介して通じている。さらに、リビング１１は、屋外であるベランダ３１に対して窓Ｗを介して通じている。
【００２６】
第一寝室１２は、リビング１１に対してドアＤ１を介して通じている。また、第一寝室１２は、屋外に対して窓Ｗを介して通じている。
【００２７】
第二寝室１３は、リビング１１に対してドアＤ１を介して通じている。また、第二寝室１３は、屋外に対して窓Ｗを介して通じている。
【００２８】
第三寝室１４は、廊下２２に対してドアＤ１を介して通じている。第三寝室１４には、クローゼット１７がドアＤ１を介して通じている。また、第三寝室１４は、屋外であるベランダ３２に対して窓Ｗを介して通じている。
【００２９】
廊下２２には、洗面所１８がドアＤ１を介して通じている。さらに、洗面所１８には、浴室１９がドアＤ１を介して通じている。
【００３０】
なお、各ドアＤ１には、当該ドアＤ１を介した相互の領域に通じるドアアンダーカット（図示せず）が設けてある。また、玄関２１は、屋外に対して玄関ドアＤ２を介して通じている。
【００３１】
上記住宅などに採用した空気イオン搬送システムは、天井裏などに配置してあり、図２に示すように給気装置５１、空気イオン発生装置５２およびモータダンパ（送風量調節手段）５３を有している。
【００３２】
給気装置５１は、送風ユニット５１１およびダクト５１２を備えている。
【００３３】
送風ユニット５１１は、主として箱状のケーシング５１１ａ、および当該ケーシング５１１ａに収容した送風ファン５１１ｂからなる。すなわち、送風ユニット５１１は、送風ファン５１１ｂの稼働によってケーシング５１１ａの内部に空気（外気）を吸込み、この吸込んだ空気をケーシング５１１ａの外部に吹出す。また、ケーシング５１１ａの内部において、送風ファン５１１ｂの空気吹出側には、空気を清浄する清浄手段としてのフィルタ５１１ｃが設けてある。フィルタ５１１ｃは、例えばＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）などからなり、送風ファン５１１ｂの稼働によってケーシング５１１ａ内を通過する空気中の塵埃などを主に除去するものである。フィルタ５１１ｃは、空気の状態に応じて比較的粗大な汚染物を除去するフィルタや、ＮＯX・ＳＯXや化学物質や花粉などを除去するフィルタなどを適宜採用するようにしてもよい。
【００３４】
ダクト５１２は、ケーシング５１１ａの外部から当該ケーシング５１１ａの内部に吸込まれる空気を通し、またケーシング５１１ａの外部に吹出された空気を所定域に通す管である。このダクト５１２は、空気取入口部５１２ａ、空気吹出口部５１２ｂ、継手５１２ｃ、および片落管５１２ｄを有している。空気取入口部５１２ａは、ダクト５１２の吸込み側の端部に設けてあり、外気などの空気をダクト５１２に取入れている。なお、空気取入口部５１２ａは、外気に加えて換気のために所定域からの空気を取り入れる口として用いる場合もある。また、空気吹出口部５１２ｂは、ダクト５１２の吹出し側の端部に設けてあり、所定域に空気を吹出す口をなしている。また、継手５１２ｃは、各ダクト５１２の間や、ケーシング５１１ａとダクト５１２との間に設けてあり、相互間を接続するものである。この継手５１２ｃは、図２に示すように太径のダクト５１２と、空気吹出口部５１２ｂを配設する細径のダクト５１２とを接続して相互のダクト５１２の管径を変えるためのものでもある。また、片落管５１２ｄは、ダクト５１２の管径を変えるためのものであって、太径のダクト５１２の端部に空気吹出口部５１２ｂを取り付ける場合に、ダクト５１２と空気吹出口部５１２ｂとの間に配設する。
【００３５】
給気装置５１は、送風ユニット５１１の送風ファン５１１ｂの稼働によって空気取入口部５１２ａから取入れた空気（外気）を、ダクト５１２を通して各空気吹出口部５１２ｂから所定箇所に吹出す。図２に示す給気装置５１では、太径のダクト５１２に細径のダクト５１２を複数接続して、複数の箇所に空気を吹出すように構成してある。例えば、図１に示すように玄関２１の天井裏に送風ユニット５１１を配置し、玄関２１先から取入れた空気を、ダクト５１２を通してリビング１１、第一寝室１２、第二寝室１３および第三寝室１４に吹出す。
【００３６】
ところで、給気装置５１においては、空気イオンの減衰を抑えるため、空気を搬送する経路を通じて導電構造とすることが好ましい。導電構造としては、給気装置５１をなす送風ユニット５１１およびダクト５１２（空気取入口部５１２ａ、空気吹出口部５１２ｂ、継手５１２ｃおよび片落管５１２ｄを含む）など構成部や、当該構成部の空気が接する部位を、導電性を有する金属材または炭素樹脂材などの導電材で構成して各構成部を通じて導電性を維持する。または、前記構成部の空気が接する部位に帯電防止塗料剤を塗布してもよい。
【００３７】
さらに、図には明示しないが、給気装置５１において、上記導電構造に加えて、送風ユニット５１１およびダクト５１２（空気取入口部５１２ａ、空気吹出口部５１２ｂ、継手５１２ｃおよび片落管５１２ｄを含む）など構成部に、アースを設けることが好ましい。あるいは、前記構成部に、帯電除去装置を設けてもよい。帯電除去装置には、例えば交流式除電装置、高周波コロナ除電装置、ブロワー式除電装置、光照射除電装置、極軟Ｘ線除電装置、真空紫外線除電装置、大気圧グロー放電式除電装置、およびドライフォグ除電装置などがある。
【００３８】
上記空気イオン発生装置５２は、周囲の空気に正イオンを発生させる正イオン発生装置、周囲の空気に負イオンを発生させる負イオン発生装置、あるいは周囲の空気に正イオンおよび負イオンを共に発生させる正負イオン発生装置などを含む。すなわち、空気イオン発生装置５２としては、正イオン発生装置のみ、負イオン発生装置のみ、正イオン発生装置および負イオン発生装置の組み合わせ、正負イオン発生装置での構成がある。図２ではこれらの空気イオン発生装置を、給気装置５１における送風ユニット５１１のケーシング５１１ａの内部であって、フィルタ５１１ｃの出口側に４つ配置した例を示す。
【００３９】
正イオン発生装置または負イオン発生装置または正負イオン発生装置で構成した空気イオン発生装置５２は、図には明示しないが、高電圧発生部とイオン発生部とを対向配置し、高電圧発生部からイオン発生部に高電圧を印加することによってコロナ放電により、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）とを主体とした正負のイオン（プラスイオンとマイナスイオン）を生成し、これらをファンなどにより空間に放出させる。これら、Ｈ+（Ｈ2Ｏ）mおよびＯ2-（Ｈ2Ｏ）nは、浮遊菌の表面に付着し、化学反応して活性種である過酸化水素（Ｈ2Ｏ2）または水酸基ラジカル（・ＯＨ）を生成する。Ｈ2Ｏ2または・ＯＨは、極めて強力な活性を示すため、これらにより、空気中の浮遊細菌を取り込んで不活化することができる。ここで、・ＯＨは活性種の１種であり、ラジカルのＯＨを示している。
【００４０】
正負のイオンは、浮遊細菌の細胞表面で下記式（１）〜式（３）に示すように化学反応して、活性種である過酸化水素（Ｈ2Ｏ2）または水酸基ラジカル（・ＯＨ）を生成する。ここで、式（１）〜式（３）において、ｍ、ｍ′、ｎ、ｎ′は任意の自然数である。これにより、活性種の分解作用によってウィルスなどの浮遊細菌が破壊される。したがって、効率的に空気中の浮遊細菌を不活化、殺菌することができる。
【００４１】
Ｈ+（Ｈ2Ｏ）m＋Ｏ2-（Ｈ2Ｏ）n→・ＯＨ＋1/2Ｏ2＋（ｍ＋ｎ）Ｈ2Ｏ…式（１）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→２・ＯＨ＋Ｏ2＋（ｍ＋ｍ′＋ｎ＋ｎ′）Ｈ2Ｏ…式（２）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→Ｈ2Ｏ2＋Ｏ2＋（ｍ＋ｍ′＋ｎ＋ｎ′）Ｈ2Ｏ…式（３）
以上のメカニズムにより、前記正負イオンの放出により浮遊菌などの菌の殺菌効果を得ることができる。
【００４２】
また、前記式（１）〜式（３）は、空気中の有害物質表面でも同様の作用を生じさせることができるため、活性種である過酸化水素（Ｈ2Ｏ2）または水酸基ラジカル（・ＯＨ）が、有害物質を酸化もしくは分解して、ホルムアルデヒドやアンモニアなどの化学物質を、二酸化炭素や、水、窒素などの無害な物質に変換することにより、実質的に無害化することが可能である。
【００４３】
なお、本実施の形態では、空気イオン発生装置を箱型形状のもので説明するが、本発明はこれに限定さるものではなく、例えば電極形状のもの、棒形状または針形状などの種々の形態の空気イオン発生装置を用いることができる。
【００４４】
正イオン発生装置および負イオン発生装置を組み合わせた構成の場合には、正イオン発生装置と負イオン発生装置とを所定間隔をおいて配置する。所定間隔は、例えば０．１ｃｍ以上、好ましくは０．５ｃｍ以上、さらに好ましくは１ｃｍ以上とするのがよい。このように空気イオン発生装置を少なくとも０．１ｃｍ以上離して設置することにより、発生したイオンの中和が激減する。なお、所定間隔は、イオン発生装置の配置される部位の容積、設置数またはイオン発生能力により、最適な間隔は適宜変化する。また、図には明示しないが正イオン発生装置と負イオン発生装置との間に仕切部を設けてもよい。さらに、正イオン／負イオンを共に発生させる装置を１個または複数設置する場合も同様である。
【００４５】
上記空気イオン発生装置５２は、発生した正イオンまたは負イオンまたは両イオンを周囲の空気に含ませて空気イオンを生成する。この空気イオンは、空気中のカビや菌の微生物を殺菌することができる。その他、空気イオンには、コクサッキーウィルス、ポリオウィルス、などのウィルス類も不活化する働きがあり、これらウィルスの混入による汚染が防止できる。また、空気イオンには、臭いの元となる分子を分離する働きがあることも確かめられており、空間の脱臭にも利用できる。また、空気イオンには、人体に影響を与えるアレルゲン（ハウスダスト、ダニ、カビ、花粉などアレルギーを引き起こす物質）を包み込んでその作用を抑制する作用もある。
【００４６】
なお、空気イオン発生装置５２としては、上記以外にも、レナード効果やプラズマなどによって空気イオン（正イオン，負イオン）を発生させることができる。
【００４７】
モータダンパ５３は、図１および図２に示すように各箇所（リビング１１、第一寝室１２、第二寝室１３および第三寝室１４）に至る各ダクト５１２にそれぞれ配置してあり、これらダクト５１２の管を開閉するダンパ（図示せず）をモータ（図示せず）の駆動によって可変することで、当該ダクト５１２を通過する空気の送風量を調節するためのものである。なお、モータダンパ５３は、空気イオンの減衰を抑えるため、給気装置５１と同様に、空気を搬送する経路を通じて導電構造とする、または空気が接する部位に帯電防止塗料剤を塗布することが好ましい。
【００４８】
すなわち、空気イオン搬送システムは、給気装置５１において空気取入口部５１２ａから取入れた空気（外気）を、空気イオン発生装置５２によって負イオンまたは正イオンまたはこれらの両イオンを含ませた空気イオンとして、各ダクト５１２を通して各空気吹出口部５１２ｂから各箇所（リビング１１、第一寝室１２、第二寝室１３および第三寝室１４）に空気イオンを吹出す。また、空気イオン搬送システムは、各モータダンパ５３によって所望のダクト５１２を開閉することによって各箇所（リビング１１、第一寝室１２、第二寝室１３および第三寝室１４）に供給される空気イオンの送風量を調節する。
【００４９】
ここで、給気装置５１において、空気を搬送する経路を通じて導電性を維持する導電構造としたことによって、空気を搬送する経路を通じて帯電を防止する。また、導電構造に加えて、給気装置５１にアースや帯電除去装置を設けることにより、給気装置５１の帯電をさらに防止する。この結果、空気を搬送する経路に空気イオンが吸着されることがないので、有効濃度を維持した状態で空気イオンを安定して搬送することが可能になる。
【００５０】
ところで、図１に示すように上記空気イオン搬送システムでは、排気装置６０を含む。排気装置は、住宅の天井裏などに配置してあり、排気ファン６１を浴室１９に配置し、当該排気ファン６１の吸込み側に接続した吸込ダクト６２の空気取入口部６２ａをトイレ１６、洗面所１８および浴室１９に設けてある。そして、排気ファン６１の吹出し側に接続した吹出ダクト６３の空気吹出口部６３ａを屋外であるベランダ３２に設けてある。また、排気装置６０は、空気取入口部（図示せず）を有した排気ファン６１’を台所１５に配置し、当該排気ファン６１’の吹出し側に接続した吹出ダクト６３’の空気吹出口部６３ａ’を屋外であるベランダ３２に設けてある。すなわち、排気装置６０は、排気ファン６１を稼働することによって屋内であるトイレ１６、洗面所１８および浴室１９の空気が屋外であるベランダ３２に排出される。このとき、各ドアＤ１に設けたドアアンダーカット（図示せず）を通じて、主にリビング１１、第一寝室１２、第二寝室１３の空気がトイレ１６を介して排出され、第三寝室１４および廊下２２の空気が洗面所１８を介して排出される。一方、排気装置６０は、排気ファン６１’を稼働することによって屋内である台所１５の空気が屋外であるベランダ３２に排出される。
【００５１】
図３は本発明に係る空気イオン搬送システムの制御系を示すブロック図である。図３に示すように空気イオン搬送システムは、換気制御部１００を備えている。換気制御部１００には、主として操作部７０、タイマ（計時手段）８０、排気ファン６１，６１’、送風ファン５１１ｂ、各空気イオン発生装置５２および各モータダンパ５３が接続してある。そして、換気制御部１００は、操作部７０、タイマ（計時手段）８０、排気ファン６１，６１’からの信号の入力に応じ、予めメモリ１０１に格納したプログラムやデータに従って送風量の調節制御を行う。
【００５２】
ここで、操作部７０は、モード選択ボタン７１および設定ボタン７２を有している。モード選択ボタン７１は、空気イオン搬送システムの動作モードを選択するためのものである。動作モードとしては、各箇所（室）に空気イオンを供給する通常運転モード、空気イオンを供給する箇所（室）を限定する第一運転モード、または給気装置における空気の供給量や空気イオン発生装置における空気イオンの発生量を可変するとともに空気イオンを供給する箇所（室）を限定する第二運転モードなどがある。また、設定ボタン７２は、上記動作モードに係る設定を行うためのものである。設定項目としては、第一運転モードや第二運転モードにおける空気イオンを供給する箇所の設定、第一運転モードや第二運転モードにおける運転時間の設定、または運転時間経過後の空気イオン搬送システムの動作条件（例えば通常運転モードへの移行あるいは運転終了）などがある。
【００５３】
また、タイマ８０は、空気イオン搬送システムの開始・終了などの作動時間を計時するものである。例えば、第一運転モードや第二運転モードにおける経過時間を計時する。
【００５４】
以下、各運転モードにおいて換気制御部が実行する処理について説明する。まず、通常運転モードでは、モード選択ボタン７１によって通常運転モードが選択される。すると、換気制御部１００は、各モータダンパ５３を全て開けてダクト５１２の管を開放状態にし、送風ファン５１１ｂを稼働するとともに空気イオン発生装置５２を稼働する。これにより、各箇所（リビング１１、第一寝室１２、第二寝室１３および第三寝室１４）に空気イオンが供給される。この結果、各箇所に対して例えば２５ｍ3／ｈ（合計１００ｍ3／ｈ）の外気（空気イオン）が供給されることになる。なお、通常運転モードは、一般に常時換気を行うものである。
【００５５】
次に、第一運転モードでは、モード選択ボタン７１によって第一運転モードが選択されて、さらに設定ボタン７２によって空気イオンを供給する箇所（例えば第一寝室１２）が設定され、かつ、運転時間（例えば１時間）および運転時間経過後の動作条件が設定される。すると、換気制御部１００は、設定された箇所（第一寝室１２）のモータダンパ５３を開けて該当するダクト５１２の管を開放状態にし、他のモータダンパ５３を閉じて該当するダクト５１２の管を閉塞状態にして、送風ファン５１１ｂを稼働するとともに、空気イオン発生装置５２を稼働する。これにより、設定した箇所（第一寝室１２）に空気イオンが設定した時間が経過するまで供給される。この結果、設定によって限定した箇所に対して例えば１００ｍ3／ｈ（合計１００ｍ3／ｈ）の外気（空気イオン）が設定した時間供給されることになる。そして、設定した時間が経過した場合には、上記通常運転モードに移行する。
【００５６】
上記第一運転モードでは、モータダンパ５３を制御することによって設定した箇所に供給する空気イオンの送風量を増すことで、通常運転モード（常時換気）と比較して、時間あたりの空気イオンの供給量を多くしている。このため、通常運転モードと比較して空気イオンによる菌の殺菌効果などをさらに高めることが可能になる。また、運転時間を設定することによって常時換気を効率よく行うことが可能になる。また、クローゼット１７や納戸（図示せず）などを含む箇所を選択することで、クローゼット１７や納戸などに重点的、かつ、定期的に空気イオンを供給することが可能になる。また、使用していない箇所に空気イオンの搬送を止めて効率化を図ることが可能になる。
【００５７】
なお、第一運転モードにおいて、選択する空気イオンを供給する箇所は、上記１つに限らず複数の箇所を選択してもよい。複数の箇所を選択した場合では、設定した時間の経過に伴って選択した複数の箇所に対して順次または交互に空気イオンを供給する。また、第一運転モードにおいて、空気イオンを供給する箇所、運転時間および運転時間経過後の動作条件は、第一運転モードを選択する以前に予め設定してあってもよい。また、第一運転モードにおいて、時間設定を行わずに継続して所定箇所への空気イオンの供給量を多くしてもよい。
【００５８】
次に、第二運転モードでは、モード選択ボタン７１によって第二運転モードが選択されて、さらに設定ボタン７２によって空気イオンを供給する箇所（例えばリビング１１）が設定され、かつ、運転時間（例えば１時間）および運転時間経過後の動作条件が設定される。すると、換気制御部１００は、設定された箇所（リビング１１）のモータダンパ５３を開けて該当するダクト５１２の管を開放状態にし、他のモータダンパ５３を閉じて該当するダクト５１２の管を閉塞状態にして、上記通常運転モードおよび第一運転モードよりも空気の供給量を増して送風ファン５１１ｂを稼働するとともに、上記通常運転モードおよび第一運転モードよりも空気イオンの発生量を増して空気イオン発生装置５２を稼働する。これにより、設定した箇所（リビング１１）に上記通常運転モードおよび第一運転モードよりも供給量の多い空気イオンが設定した時間が経過するまで供給される。この結果、設定によって限定した箇所に対して例えば１５０ｍ3／ｈ（合計１５０ｍ3／ｈ）の外気（空気イオン）が設定した時間供給されることになる。そして、設定した時間が経過した場合には、上記通常運転モードに移行する。なお、空気の供給量を増す場合には送風ファン５１１ｂの稼働電圧を上げ、空気イオンの発生量を増す場合には空気イオン発生装置５２の稼働数を増せばよい。
【００５９】
また、第二運転モードでは、排気ファン６１，６１’の稼働に際して、所定の箇所に上記通常運転モードおよび第一運転モードよりも供給量の多い空気イオンを、排気ファン６１，６１’の稼働に伴って供給する。すなわち、排気ファン６１，６１’が稼働された際に、換気制御部１００は、所定の箇所のモータダンパ５３を開けて該当するダクト５１２の管を開放状態にし、他のモータダンパ５３を閉じて該当するダクト５１２の管を閉塞状態にして、上記通常運転モードおよび第一運転モードよりも空気の供給量を増して送風ファン５１１ｂを稼働するとともに、上記通常運転モードおよび第一運転モードよりも空気イオンの発生量を増して空気イオン発生装置５２を稼働する。これにより、排気に伴う所定の箇所に上記通常運転モードおよび第一運転モードよりも供給量の多い空気イオンが供給される。なお、排気に伴う所定の箇所とは、例えば排気ファン６１’が稼働した場合では、台所１５に近いリビング１１が選択され、排気ファン６１が稼働した場合では、トイレ１６に近いリビング１１、もしくは洗面所１８および浴室１９に近い第三寝室１４が選択される。
【００６０】
上記第二運転モードでは、モータダンパ５３、送風ファン５１１ｂおよび空気イオン発生装置５２を制御することによって空気イオンの送風量を増すことで、通常運転モード（常時換気）および第一運転モードと比較して、時間あたりの空気イオンの供給量を多くしている。このため、通常運転モードおよび第一運転モードと比較して空気イオンによる菌の殺菌効果などをさらに高めることが可能になる。また、運転時間を設定することによって常時換気を効率よく行うことが可能になる。また、クローゼット１７や納戸（図示せず）などを含む箇所を選択することで、クローゼット１７や納戸などに重点的、かつ、定期的に空気イオンを供給することが可能になる。また、使用していない箇所に空気イオンの搬送を止めて効率化を図ることが可能になる。
【００６１】
さらに、第二運転モードでは、排気ファン６１，６１’の稼働に際して、所定の箇所に上記通常運転モードおよび第一運転モードよりも供給量の多い空気イオンを、排気ファン６１，６１’の稼働に伴って供給することで、排気に併せて、空気イオンによる菌の殺菌効果などを高めることが可能になる。また、排気装置６０を設けた台所１５、トイレ１６、洗面所１８または浴室１９などの水回りに重点的、かつ定期的に空気イオンを供給することが可能になる。なお、排気ファン６１，６１’の稼働に際して、上記第一運転モードを選択することも可能である。
【００６２】
なお、第二運転モードにおいて、選択する空気イオンを供給する箇所は、上記１つに限らず複数の箇所を選択してもよい。複数の箇所を選択した場合では、設定した時間の経過に伴って選択した複数の箇所に対して順次または交互に空気イオンを供給する。また、第二運転モードにおいて、空気イオンを供給する箇所、運転時間および運転時間経過後の動作条件は、第二運転モードを選択する以前に予め設定してあってもよい。また、第二運転モードにおいて、時間設定を行わずに継続して所定箇所への空気イオンの供給量を多くしてもよい。さらに、空気イオンの供給量を多くするにあたり、モータダンパ５３の制御に加えて、上記通常運転モードおよび第一運転モードよりも空気の供給量を増して送風ファン５１１ｂを稼働するのみ、もしくは上記通常運転モードおよび第一運転モードよりも空気イオンの発生量を増して空気イオン発生装置５２を稼働するのみであってもよい。
【００６３】
なお、上述した実施の形態において、送風量調節手段としてモータダンパ５３は、ダクト５１２の管を開閉するだけでなく、切替ノッチによって開度を多段階に変更できるようにしてもよい。
【００６４】
さらに、上述した実施の形態において、送風量調節手段としてモータダンパ５３を用いた例を説明したが、手動のボリュームダンパを用いて各箇所に供給される空気イオンの送風量を調節してもよい。
【図面の簡単な説明】
【００６５】
【図１】本発明に係る空気イオン搬送システムを住宅に採用した概略図である。
【図２】図１に示す空気イオン搬送システムの概略図である。
【図３】本発明に係る空気イオン搬送システムの制御系を示すブロック図である。
【符号の説明】
【００６６】
１１    リビング
１２    第一寝室
１３    第二寝室
１４    第三寝室
１５    台所
１６    トイレ
１７    クローゼット
１８    洗面所
１９    浴室
２１    玄関
２２    廊下
３１，３２    ベランダ
Ｄ１    ドア
Ｄ２    玄関ドア
Ｗ    窓
５１    給気装置
５１１    送風ユニット
５１１ａ    ケーシング
５１１ｂ    送風ファン
５１１ｃ    フィルタ
５１２    ダクト
５１２ａ    空気取入口部
５１２ｂ    空気吹出口部
５１２ｃ    継手
５１２ｄ    片落管
５２    空気イオン発生装置
５３    モータダンパ
６０    排気装置
６１，６１’    排気ファン
６２    吸込ダクト
６２ａ    空気取入口部
６３    吹出ダクト
６３ａ    空気吹出口部
７０    操作部
７１    モード選択ボタン
７２    設定ボタン
８０    タイマ
１００    換気制御部
１０１    メモリ
【図１】
2007183070.tif 000003
【図２】
2007183070.tif 000004
【図３】
2007183070.tif 000005